【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
第一の操作手段と、
第二の操作手段と、
複数の表示を表示可能な表示手段と、
を備えた遊技台であって、
前記第一の操作手段の操作を受付可能な複数の状態のうちの一の状態は、第一の状態であり、
前記第二の操作手段の操作を受付可能な複数の状態のうちの一の状態は、第二の状態であり、
前記第一の状態と前記第二の状態は、別の状態であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示の表示態様と前記第二の表示の表示態様は、別の表示態様であり、
前記第三の表示の表示態様と前記第四の表示の表示態様は、別の表示態様であり、
前記第一の状態において前記第三の表示を表示可能であり、
前記第二の状態において前記第四の表示を表示可能であり、
前記第一の表示は、或る予告であり、
前記第二の表示は、設定画面において表示される或る表示であり、
前記第三の表示は、遊技者に前記操作手段の操作を促す表示であり、
前記第四の表示は、前記設定画面において表示される前記第二の表示とは別の或る表示であり、
前記第三の表示の表示が開始された後、前記第一の操作手段が複数回操作されると、前記第一の表示の表示が開始される場合があり、
前記第三の表示の表示が開始された後、前記第一の操作手段が長押しで１回操作されたことのみで、前記第一の表示の表示が開始される場合があり、
前記第四の表示の表示が開始された後、前記第二の操作手段が複数回操作されると、前記第二の表示の表示が開始される場合があり、
前記第四の表示の表示が開始された後、前記第二の操作手段が長押しで１回操作されたことのみでは、前記第二の表示の表示が開始されることはない、
ことを特徴とする遊技台。
【請求項２】
請求項１に記載の遊技台であって、
前記設定画面は、複数の選択肢の中から一の選択肢を選択することを指示する表示を含む画面であり、
前記第四の表示は、前記複数の選択肢のうちの第一の選択肢が選択された際に表示される表示であり、
前記第二の表示は、前記複数の選択肢のうちの第二の選択肢が選択された際に表示される表示であり、
前記第四の表示が表示されている場合に、前記第二の操作手段が複数回操作されると、前記第二の表示の表示が開始される場合があり、
前記第四の表示が表示されている場合に、前記第二の操作手段が長押しで１回操作されたことでは、前記第二の表示の表示が開始されることはない、
ことを特徴とする遊技台。
【請求項３】
請求項２に記載の遊技台であって、
前記第二の表示は、前記第四の表示が表示されている場合に、前記第二の操作手段によってＮ回（Ｎ≧２）の操作があった場合に表示が開始される表示である、
ことを特徴とする遊技台。
【請求項４】
請求項１乃至３のうちいずれか一項に記載の遊技台であって、
図柄変動表示を表示可能な図柄表示手段を備え、
前記第一の表示は、前記図柄変動表示の表示中に開始される場合がある表示であり、
前記第二の表示は、前記図柄変動表示の表示中に開始されない表示である、
ことを特徴とする遊技台。
【請求項５】
請求項１乃至４のうちいずれか一項に記載の遊技台であって、
前記第一の操作手段が長押しで１回で操作されると、該第一の操作手段が複数回操作されたものとして前記第一の表示の表示が開始される場合がある、
ことを特徴とする遊技台。
【請求項６】
請求項１乃至５のうちいずれか一項に記載の遊技台であって、
前記第一の状態は、前記第一の表示の表示を開始させるための操作を受け付ける状態である、
ことを特徴とする遊技台。
【請求項７】
請求項１乃至６のうちいずれか一項に記載の遊技台であって、
前記長押しとは、操作されている状態が予め定められた時間にわたって維持されていることである、
ことを特徴とする遊技台。
【請求項８】
請求項１乃至７のうちいずれか一項に記載の遊技台であって、
前記第一の表示は、連打の文字を含む表示である、
ことを特徴とする遊技台。
【請求項９】
請求項１乃至８のうちいずれか一項に記載の遊技台であって、
前記第一の表示の表示が開始された後、前記第一の操作手段が長押しで操作された場合に、該第一の操作手段が複数回操作されたものとして該第一の表示の表示が開始される場合がある、
ことを特徴とする遊技台。
【請求項１０】
請求項１乃至９のうちいずれか一項に記載の遊技台であって、
前記第一の状態となってから予め定められた時間が経過すると該第一の状態が終了する、
ことを特徴とする遊技台。
【請求項１１】
請求項１乃至１０のうちいずれか一項に記載の遊技台であって、
前記複数の表示のうちの一の表示は、残時間表示であり、
前記残時間表示は、前記第一の状態が終了するまでの残り時間の表示である、
ことを特徴とする遊技台。
【請求項１２】
請求項１乃至１１のうちいずれか一項に記載の遊技台であって、
前記遊技台は、ぱちんこ機である、
ことを特徴とする遊技台。
【請求項１３】
請求項１乃至１１のうちいずれか一項に記載の遊技台であって、
前記遊技台は、スロットマシンである、
ことを特徴とする遊技台。
【手続補正２】
【補正対象書類名】明細書
【補正対象項目名】０００３
【補正方法】変更
【補正の内容】
【０００３】
また、こういった遊技台では、表示手段を備えたものが知られている。
【手続補正３】
【補正対象書類名】明細書
【補正対象項目名】０００５
【補正方法】変更
【補正の内容】
【０００５】
しかしながら、従来の遊技台では、表示手段に改良の余地がある。
【手続補正４】
【補正対象書類名】明細書
【補正対象項目名】０００６
【補正方法】変更
【補正の内容】
【０００６】
本発明は上記事情に鑑み、表示手段に特徴を持った遊技台を提供することを目的とする。
【手続補正５】
【補正対象書類名】明細書
【補正対象項目名】０００７
【補正方法】変更
【補正の内容】
【０００７】
上記目的を解決する本発明の遊技台は、
第一の操作手段と、
第二の操作手段と、
複数の表示を表示可能な表示手段と、
を備えた遊技台であって、
前記第一の操作手段の操作を受付可能な複数の状態のうちの一の状態は、第一の状態であり、
前記第二の操作手段の操作を受付可能な複数の状態のうちの一の状態は、第二の状態であり、
前記第一の状態と前記第二の状態は、別の状態であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示の表示態様と前記第二の表示の表示態様は、別の表示態様であり、
前記第三の表示の表示態様と前記第四の表示の表示態様は、別の表示態様であり、
前記第一の状態において前記第三の表示を表示可能であり、
前記第二の状態において前記第四の表示を表示可能であり、
前記第一の表示は、或る予告であり、
前記第二の表示は、設定画面において表示される或る表示であり、
前記第三の表示は、遊技者に前記操作手段の操作を促す表示であり、
前記第四の表示は、前記設定画面において表示される前記第二の表示とは別の或る表示であり、
前記第三の表示の表示が開始された後、前記第一の操作手段が複数回操作されると、前記第一の表示の表示が開始される場合があり、
前記第三の表示の表示が開始された後、前記第一の操作手段が長押しで１回操作されたことのみで、前記第一の表示の表示が開始される場合があり、
前記第四の表示の表示が開始された後、前記第二の操作手段が複数回操作されると、前記第二の表示の表示が開始される場合があり、
前記第四の表示の表示が開始された後、前記第二の操作手段が長押しで１回操作されたことのみでは、前記第二の表示の表示が開始されることはない、
ことを特徴とする。
【手続補正６】
【補正対象書類名】明細書
【補正対象項目名】０００８
【補正方法】変更
【補正の内容】
【０００８】
本発明の遊技台によれば、表示手段に特徴を持った遊技台を実現できる。
【手続補正７】
【補正対象書類名】明細書
【補正対象項目名】０８８６
【補正方法】変更
【補正の内容】
【０８８６】
また、『  前記遊技台は、スロットマシンである、
ことを特徴とする遊技台。』
についても説明した。
また、以上の記載では、
『  第一の操作手段［例えば、演出ボタン１３６等］と、
第二の操作手段［例えば、上ボタン１３７ａ、下ボタン１３７ｂ、左ボタン１３７ｃ、右ボタン１３７ｄ、ＯＫボタン１３７ｅ、クリアボタン１３７ｆ等］と、
複数の表示を表示可能な表示手段［例えば、装飾図柄表示装置２０８等］と、
を備えた遊技台であって、
前記第一の操作手段の操作を受付可能な複数の状態のうちの一の状態は、第一の状態であり［換言すれば、前記第一の状態は、前記第一の操作手段の操作を受け付ける状態であり、前記第一の状態において、前記第一の操作手段が連打された場合に前記第一の表示の表示が開始される場合がある］、
前記第二の操作手段の操作を受付可能な複数の状態のうちの一の状態は、第二の状態であり［換言すれば、前記第二の状態は、前記第二の操作手段の操作を受け付ける状態であり、前記第二の状態において、前記第二の操作手段が２以上の回数操作された場合に前記第二の表示の表示が開始される場合がある］、
前記第一の状態と前記第二の状態は、別の状態であり、
前記複数の表示のうちの一の表示は、第一の表示であり、
前記複数の表示のうちの一の表示は、第二の表示であり、
前記複数の表示のうちの一の表示は、第三の表示であり、
前記複数の表示のうちの一の表示は、第四の表示であり、
前記第一の表示の表示態様と前記第二の表示の表示態様は、別の表示態様であり、
前記第三の表示の表示態様と前記第四の表示の表示態様は、別の表示態様であり、
前記第一の状態において前記第三の表示を表示可能であり［例えば、図２２（ｄ）に示される、演出ボタン画像ＢＴとともに「連打しろ」という文字が画面の中央に表示される表示は、演出ボタン１３６の操作受付状態となると表示開始される等］、
前記第二の状態において前記第四の表示を表示可能であり［例えば、図１１（ｂ）に示されるように、メニュー画面で「音量光量調整」がカーソルＣＬで選択されている表示は、上ボタン１３７ａ及び下ボタン１３７ｂの操作受付状態において表示される等］、
前記第一の表示は、或る予告［例えば、カットイン画像等の予告表示や、大当りとなることを予告する報知等］であり、
前記第二の表示は、設定画面において表示される或る表示［例えば、図１１（ｅ）に示す、メニュー画面で「演出カスタマイズ」がカーソルＣＬで選択されている表示等］であり、
前記第三の表示は、遊技者に前記操作手段の操作を促す表示［例えば、図２２（ｄ）〜同図（ｇ）に示されるように、連打操作演出において、演出ボタン画像ＢＴとともに「連打しろ」という文字が画面の中央に表示される表示等］であり、
前記第四の表示は、前記設定画面において表示される前記第二の表示とは別の或る表示［例えば、図１１（ｅ）に示す、メニュー画面で「音量光量調整」がカーソルＣＬで選択されている表示等］であり、
前記第三の表示の表示が開始された後、前記第一の操作手段が複数回操作されると、前記第一の表示の表示が開始される場合があり［例えば、図２２に示されるように、演出ボタン１３６による複数回の操作（連打操作）が行われると連打メーターＲＤのゲージが満タンとなって予告表示が行われる場合がある等］、
前記第三の表示の表示が開始された後、前記第一の操作手段が長押しで１回操作されたことのみで、前記第一の表示の表示が開始される場合があり［例えば、図２３に示されるように、演出ボタン１３６を長押しすると連打メーターＲＤのゲージが満タンとなって予告表示が行われる場合がある等］、
前記第四の表示の表示が開始された後、前記第二の操作手段が複数回操作されると、前記第二の表示の表示が開始される場合があり［例えば、図１１（ｂ）〜同図（ｅ）に示すように、メニュー画面で「音量光量調整」がカーソルＣＬで選択されている場合において、「演出カスタマイズ」がカーソルＣＬで選択されていることを示す表示は、下ボタン１３７ｂを２回操作することにより表示される等］、
前記第四の表示の表示が開始された後、前記第二の操作手段が長押しで１回操作されたことのみでは、前記第二の表示の表示が開始されることはない［例えば、図１１（ｂ）〜同図（ｅ）に示すように、メニュー画面で「音量光量調整」がカーソルＣＬで選択されている場合において、「演出カスタマイズ」がカーソルＣＬで選択されていることを示す表示は、下ボタン１３７ｂが長押し操作されたことでは表示されない等］、
ことを特徴とする遊技台。』
について説明した。
また、『  前記設定画面は、複数の選択肢の中から一の選択肢を選択することを指示する表示を含む画面であり［例えば、図１１に示されるメニュー画面は、「音量光量調整」、「会員登録」、「演出カスタマイズ」、「操作補助設定」から一の選択肢を選択することを指示する表示を含む等］、
前記第四の表示は、前記複数の選択肢のうちの第一の選択肢が選択された際に表示される表示［例えば、図１１（ｅ）に示されるメニュー画面における、「音量光量調整」、「会員登録」、「演出カスタマイズ」、「操作補助設定」のうちの「音量光量調整」がカーソルＣＬで選択されている際の表示等］であり、
前記第二の表示は、前記複数の選択肢のうちの第二の選択肢が選択された際に表示される表示［例えば、図１１（ｅ）に示されるメニュー画面における、「音量光量調整」、「会員登録」、「演出カスタマイズ」、「操作補助設定」のうちの「演出カスタマイズ」がカーソルＣＬで選択されている際の表示等］であり、
前記第四の表示が表示されている場合に、前記第二の操作手段が複数回操作されると、前記第二の表示の表示が開始される場合があり［例えば、図１１（ｂ）〜同図（ｅ）に示すように、メニュー画面で「音量光量調整」がカーソルＣＬで選択されている場合に、下ボタン１３７ｂが２回操作されると、「演出カスタマイズ」がカーソルＣＬで選択されていることを示す表示が開始される等］、
前記第四の表示が表示されている場合に、前記第二の操作手段が長押しで１回操作されたことでは、前記第二の表示の表示が開始されることはない［例えば、図１１（ｂ）〜同図（ｅ）に示すように、メニュー画面で「音量光量調整」がカーソルＣＬで選択されている場合に、下ボタン１３７ｂが長押し操作されたことでは、「演出カスタマイズ」がカーソルＣＬで選択されていることを示す表示は表示開始されない等］、
ことを特徴とする遊技台。』
についても説明した。
また、『  前記第二の表示は、前記第四の表示が表示されている場合に、前記第二の操作手段によってＮ回（Ｎ≧２［例えば、２回等］）の操作があった場合に表示が開始される表示である［例えば、図１１（ｂ）〜同図（ｅ）に示されるメニュー画面において、「演出カスタマイズ」がカーソルＣＬで選択されていることを示す表示は、「音量光量調整」がカーソルＣＬで選択されていることを示す表示が表示されている場合に、下ボタン１３７ｂによって２回の押下操作があった場合に表示開始される等］、
ことを特徴とする遊技台。』
についても説明した。
また、『  図柄変動表示を表示可能な図柄表示手段［例えば、第１特図表示装置２１２、第２特図表示装置２１４、装飾図柄表示装置２０８等］を備え、
前記第一の表示は、前記図柄変動表示の表示中に開始される場合がある表示であり［例えば、図２２や図２３に示される、連打メーターＲＤのゲージが満タンとなった場合に実行される演出は、図柄変動表示中に開始される等］、
前記第二の表示は、前記図柄変動表示の表示中に開始されない表示である［例えば、図１１（ｂ）〜同図（ｅ）に示される、メニュー画面における「演出カスタマイズ」がカーソルＣＬで選択されていることを示す表示は、図柄変動表示中には開始されない等］、
ことを特徴とする遊技台。』
についても説明した。
また、『  前記第一の操作手段が長押しで１回で操作されると［例えば、演出ボタン１３６が４秒操作された場合等］、該第一の操作手段が複数回操作されたものとして前記第一の表示の表示が開始される場合がある［例えば、図２３に示すように、演出ボタン１３６が４秒操作された場合に、操作手段が疑似的に２０回操作されたものとして操作の結果に関する表示（カットイン画像等の予告表示や、大当りとなることを予告する報知等）が開始される等］、
ことを特徴とする遊技台。』
についても説明した。
また、『  前記第一の状態は、前記第一の表示の表示を開始させるための操作を受け付ける状態である［換言すれば、前記第一の状態は、前記第一の操作手段の操作を受け付ける状態であり、前記第一の状態において、前記第一の操作手段が連打された場合に前記第一の表示の表示が開始される場合がある］、
ことを特徴とする遊技台。』
についても説明した。
また、『  前記長押しとは、操作されている状態が予め定められた時間［例えば、４秒］にわたって維持されていることである、
ことを特徴とする遊技台。』
についても説明した。
また、『  前記第一の表示は、連打の文字［例えば、図２２（ｄ）〜同図（ｇ）や図２３（ｄ）〜同図（ｇ）に示される「連打しろ」の文字表示等］を含む表示である、
ことを特徴とする遊技台。』
についても説明した。
また、『  前記第一の表示の表示が開始された後、前記第一の操作手段が長押しで操作された場合に、該第一の操作手段が複数回操作されたものとして該第一の表示の表示が開始される場合がある［例えば、図２２（ｄ）あるいは図２３（ｄ）に示される、演出ボタン画像ＢＴとともに「連打しろ」という文字が画面の中央に表示される表示が開始されてから操作受付期間が経過するまでの間に（操作受付状態で）演出ボタン１３６による４秒間の長押し操作が行われた場合に、操作手段が疑似的に２０回操作されたものとして操作の結果に関する表示（カットイン画像等の予告表示や、大当りとなることを予告する報知等）が開始される場合がある等］、
ことを特徴とする遊技台。』
についても説明した。
また、『  前記第一の状態となってから予め定められた時間［例えば、５秒等］が経過すると該第一の状態が終了する、
ことを特徴とする遊技台。』
についても説明した。
また、『  前記複数の表示のうちの一の表示は、残時間表示［例えば、図２２（ｄ）〜同図（ｇ）あるいは図２３（ｄ）〜同図（ｇ）に示される残時間メーターＭＴ等］であり、
前記残時間表示は、前記第一の状態が終了するまでの残り時間の表示である、
ことを特徴とする遊技台。』
についても説明した。
また、『  前記遊技台は、ぱちんこ機［例えば、パチンコ機１００等］である、
ことを特徴とする遊技台。』
についても説明した。
また、『  前記遊技台は、スロットマシンである、
ことを特徴とする遊技台。』
についても説明した。